(57)【要約】【課題】緞子張り内装材の施工を簡略化する。【解決手段】緞子張り内装材を表装地１４とその裏側のパイル層２０との積層構造とする。パイル層２０の総厚みは３ｍｍ以上とし、パイル１１・１２の根元からの層厚みが２ｍｍとなるパイル内部層のパイル繊維の内部目付けを６０〜３００ｇｆ／ｍ2 とし、表装地１４の目付けを３００ｇｆ／ｍ2 以下とし、表装地１４とパイル層２０を含む緞子張り内装材全体の総目付けを７００ｇｆ／ｍ2 以下とする。パイル層２０は、繊維ウエブや発泡シートと同様にクッション性を有するので、緞子張り内装材を把持部材間１９・１９に張り渡して固定すれば、そのパイル層２０が填料となる。このため、填料を施工下地に取付固定する手間が省かれ緞子張り内装材の施工工事を簡便に行うことが出来る。【選択図】図１
2005226227.tif 000002
【特許請求の範囲】
【請求項１】
表装地（１４）の裏面がパイル層（２０）によって覆われている緞子張り内装材。
【請求項２】
パイル層（２０）が長短異なるパイル（１１・１２）によって構成されており、そのパイル層（２０）の外面が長パイル（１１）の先端によって構成され、短パイル（１２）の先端が長パイル（１１）の先端の下に隠れ、パイル層（２０）が長パイル（１１）による外面パイル層（２１）と、その外面パイル層（２１）に内在する短パイル（１２）と長パイル（１１）が混在する内部パイル層（２２）との複層構造を成す前掲請求項１に記載の緞子張り内装材。
【請求項３】
パイル層（２０）の総厚みが３ｍｍ以上であり、パイル（１１・１２）の根元からの層厚みが２ｍｍとなるパイル内部層のパイル繊維の内部目付けが６０〜３００ｇｆ／ｍ2 である前掲請求項１と請求項２に記載の緞子張り内装材。
【請求項４】
表装地（１４）の目付けが３００ｇｆ／ｍ2 以下である前掲請求項１と請求項２と請求項３に記載の緞子張り内装材。
【請求項５】
表装地（１４）とパイル層（２０）を含む緞子張り内装材全体の総目付けが７００ｇｆ／ｍ2 以下である前掲請求項１と請求項２と請求項３と請求項４に記載の緞子張り内装材。
【請求項６】
パイル層（２０）のパイル（１１・１２）が表装地（１４）の裏面に植設されている前掲請求項１と請求項２と請求項３と請求項４と請求項５に記載の緞子張り内装材。
【請求項７】
基布（１０）にパイル（１１・１２）を植設したパイル布帛によってパイル層（２０）が構成されており、表装地（１４）とパイル層（２０）の間に基布（１０）が介在している前掲請求項１と請求項２と請求項３と請求項４と請求項５に記載の緞子張り内装材。
【請求項８】
裏面を透視することの出来る透明シートによって表装地（１４）の表面が被覆されている前掲請求項１と請求項２と請求項３と請求項４と請求項５と請求項６と請求項７に記載の緞子張り内装材。
【発明の詳細な説明】
【技術分野】
【０００１】
本発明は、施工下地面に周縁を係止し、その周縁に囲まれる中央部を施工下地面から浮き上がらせて袋状に施工される緞子張り内装材に関するものである。
【背景技術】
【０００２】
緞子張り内装材には、織物、編物、不織布、合成紙、人工皮革、合成皮革、天然皮革、プラスチックフイルム等の可撓性面状資材が使用される。緞子張り内装材の施工においては、緞子張り内装材にボリューム感を与えるために、厚手の繊維ウエブや不織布、発泡シート等の填料が緞子張り内装材と施工下地面の間に挿填される。本願出願人は、緞子張り内装材の周縁を施工下地面に簡便且つ確実に係止するため把持部材を開発し公開している（例えば、特許文献１参照）。
【特許文献１】特開２００３−３２８５２２号公報（要約、図１）。
【発明の開示】
【発明が解決しようとする課題】
【０００３】
緞子張り内装材の施工は、緞子張り内装材を縁取るように把持部材を施工下地に取付固定し、その把持部材に囲まれる施工下地に填料を取付固定し、緞子張り内装材を縦横に緊張しつつ周縁を把持部材に係止して行われる。その際、最も注意すべきことは、施工後の温湿度の変化によって弛み皺や緊張斑が生じないように、緞子張り内装材を十分且つ均等に伸長して把持部材と把持部材の間に張り渡すと共に、伸長して係止した周縁が把持部材から食み出ないように施工時の緞子張り内装材の伸び率を計算に入れて把持部材の位置決めをし施工下地に取付固定することである。このように緞子張り内装材の施工は、施工下地面に全面接着して行う壁紙の施工のように単純なものではなく、高度の技術と熟練を要し、その施工コストは壁紙の施工コストに比して高価なものとなる。
【０００４】
そこで本発明は、緞子張り内装材の施工を簡略化することを目的とする。
【課題を解決するための手段】
【０００５】
本発明に係る緞子張り内装材は、表装地１４の裏面がパイル層２０によって覆われていることを第１の特徴とする。
【０００６】
本発明に係る緞子張り内装材の第２の特徴は、上記第１の特徴に加えて、パイル層２０が長短異なるパイル１１・１２によって構成されており、そのパイル層２０の外面が長パイル１１の先端によって構成され、短パイル１２の先端が長パイル１１の先端の下に隠れ、パイル層２０が長パイル１１による外面パイル層２１と、その外面パイル層２１に内在する短パイル１２と長パイル１１が混在する内部パイル層２２との複層構造を成す点にある。
【０００７】
本発明に係る緞子張り内装材の第３の特徴は、上記第１、第２の何れかの特徴に加えて、パイル層２０の総厚みが３ｍｍ以上であり、パイル１１・１２の根元からの層厚みが２ｍｍとなるパイル内部層のパイル繊維の内部目付けが６０〜３００ｇｆ／ｍ2 である点にある。
【０００８】
本発明に係る緞子張り内装材の第４の特徴は、上記第１、第２、第３の何れかの特徴に加えて、表装地１４の目付けが３００ｇｆ／ｍ2 以下である点にある。
【０００９】
本発明に係る緞子張り内装材の第５の特徴は、上記第１、第２、第３、第４の何れかの特徴に加えて、表装地１４とパイル層２０を含む緞子張り内装材全体の総目付けが７００ｇｆ／ｍ2 以下である点にある。
【００１０】
本発明に係る緞子張り内装材の第６の特徴は、上記第１、第２、第３、第４、第５の何れかの特徴に加えて、パイル層２０のパイル１１・１２が表装地１４の裏面に植設されている点にある。
【００１１】
本発明に係る緞子張り内装材の第７の特徴は、上記第１、第２、第３、第４、第５の何れかの特徴に加えて、基布１０にパイル１１・１２を植設したパイル布帛によってパイル層２０が構成されており、表装地１４とパイル層２０の間に基布１０が介在している点にある。
【００１２】
本発明に係る緞子張り内装材の第８の特徴は、上記第１、第２、第３、第４、第５、第６、第７の何れかの特徴に加えて、裏面を透視することの出来る透明シートによって表装地１４の表面が被覆されている点にある。
【発明の効果】
【００１３】
本発明（請求項１と請求項３）によると、パイル層２０は、繊維ウエブや発泡シートと同様にクッション性を有するので、緞子張り内装材を把持部材間１９・１９に張り渡して固定すれば、そのパイル層２０が填料となる。このため従来表装地と施工下地との間に挿填していた填料が不要となり、又、その填料を施工下地に取付固定する手間が省かれ緞子張り内装材の施工工事を簡便に行うことが出来る。そしてパイル層２０は、個々独立して表装地１４の裏側に突き出たパイル１１・１２によって構成され、隣合うパイルが個々独立しているので、把持部材間１９・１９で表装地１４を伸長しようとするときパイル層２０が妨げとならず、又、緞子張り内装材の端縁２３を把持部材１９の差込溝１８に押し込もうとするとき、パイル層１１・１２が個々傾倒してパイル層２０の嵩が低くなるので、パイル層２０が格別妨げになることはない。
【００１４】
本発明（請求項２）によると、施工後の緞子張り内装材を押圧するとき、先ず最初に施工下地１３に先端が触れている長パイル１１が押し倒され、次いで施工下地１３に接近して触れる短パイル１２が押し倒されることになる。このため、外面パイル層２１からのクッション性と内部パイル層２２からのクッション性が段階的に分かれて感じられることになり、緞子張り内装材が感触のよいものとなる。
【００１５】
本発明（請求項４と請求項５）によると、緞子張り内装材が格別分厚くなく、施工下地１３に固定する基板１７から矩形に縁取られた内部空洞を有する矩形断面の角形畝１６が突出しており、その突出した表面に内部空洞に続く差込溝１８が付設されており、その差込溝１８と施工下地側１３に向けて傾斜した舌片１５が内部空洞内に突設されている公知の把持部材１９を使用し、差込溝１８に端縁２３を押し込んで、緞子張り内装材を施工することが出来る。本発明において、厚み２ｍｍ当りの内部パイル層２２の目付けを３００ｇｆ／ｍ2 以下とし、表装地１４の目付けを３００ｇｆ／ｍ2 以下とし、緞子張り内装材全体の目付けを７００ｇｆ／ｍ2 以下とするのは、それらの目付けが多過ぎるときは、緞子張り内装材の端縁部（２３）が厚過ぎて把持部材の差込溝１８に押し込み難くなるためである。
【００１６】
本発明（請求項６と請求項７）によると、基布１０にパイル１１・１２を植設したパイル布帛は、毛布や椅子張り地、カーペット等として使用されており、そのパイル布帛の裏面に装飾を施して緞子張り内装材を得ることが出来、本発明を容易に実施することが出来る。
【００１７】
本発明（請求項８）によると、透明シートによって表装地１４のデザインを変えることが出来るので、空隙率や織編組織、色調等の仕様の異なる種々のメッシュ布帛との組み合わせ方によってデザインの多様な緞子張り内装材を提供することが出来る。
【発明を実施するための最良の形態】
【００１８】
パイル１１・１２には捲縮を有する合成繊維や羊毛繊維を用いるとよい。パイル層２０を長パイル１１による外面パイル層２１と、短パイル１２と長パイル１１が混在する内部パイル層２２との複層構造にするためには、水収縮性や熱収縮性の異なる数種類のパイル糸を使用し、それらの収縮差を顕現させればよい。パイル層２０の厚みを３ｍｍ以上とするのは、パイル層２０に従来の填料と同等の機能を付与するためである。本発明において、パイル層２０の総厚みを３ｍｍ以上とし、パイル１１・１２の根元からの層厚みが２ｍｍとなるパイル内部層のパイル繊維の内部目付けを６０〜３００ｇｆ／ｍ2 とするのは、長パイル１１と短パイル１２によって多層構造を成すパイル層２０の圧縮弾性回復力が、長パイルの先端によって構成される外面パイル層２１よりも、長パイル１１と短パイル１２が混在する内部パイル層２２において強く生じることとなり、外面パイル層２１を含むパイル層全体２０の圧縮弾性回復力によってはパイル層２０のクッション性を規定することは出来ないためである。
【００１９】
緞子張り内装材には、タフテッドパイル布帛やパイル織物、パイル編物等のパイル布帛を使用することが出来る。しかし在来のパイル布帛は、そのパイルを係止している基布１０を外側に向けて使用されておらず、その基布１０は格別装飾性を有するものではなく、そのままでは緞子張り内装材の表装地１４として使用することは出来ない。そのパイル布帛の基布１０に装飾性を付与するためには、（１）  基布１０を構成している糸条に数種類の色糸や箔糸（金糸や銀糸等）を使用して基布の表面に筋模様や格子模様、市松模様等の幾何学模様を描出し、（２）  基布１０に織組織や編組織による地模様を描出し、（３）  パイル糸に数種類の色糸を使用し、それをシヤカード等によって基布１０の表面に選択的に浮き上がらせて多彩な図柄を描出し、（４）  基布の表面を起毛処理して起毛層を形成し、或いは、（５）  基布１０の表面に図柄・模様をプリントする。基布１０が装飾性を有しておらず、又、タフテッドパイル布帛の基布面（１０）のように装飾性を付与することの出来ない在来のパイル布帛を使用する場合は、その基布面（１０）の上に表装地１４を重ね合わせ、パイル布帛（１０）と表装地１４の端縁２３を一緒に把持部材１９に係止する。
【００２０】
表装地１４には、織物、編物、不織布、合成紙、人工皮革、合成皮革、天然皮革、プラスチックフイルム等のほか、パイル布帛を使用することも出来る。その表装地１４に使用するパイル布帛は、填料に代わる裏側のパイル布帛（２０）とは異なり、緞子張り内装材にクッション性を付与するためのものではなく、表面の美観を整えるものであるから、別珍、ベルベット、ビロード、プラッシュ等と称されるパイルの短いパイル長が１ｍｍ前後のものであってもよい。
【００２１】
表装地１４を被覆する透明シートには、それによって表装地１４の汚れを防ごうとする場合には透明プラスチックフイルムを使用し、それによって表装地１４の美観を高めようとする場合には、酸化チタン含有量が０．１％以下で光輝を帯びたブライド合成繊維によって構成された光輝性メッシュ布帛やプリント模様を施した透明プラスチックを使用するとよい。
【００２２】
表装地１４や基布１０や透明シートの端縁２３を係止するためには、施工下地１３に固定する基板１７から矩形に縁取られた内部空洞を有する矩形断面の角形畝１６が突出しており、その突出した表面に内部空洞に続く差込溝１８が付設されており、その差込溝１８と施工下地側１３に向けて傾斜した舌片１５が内部空洞内に突設されている把持部材１９を使用するとよい。このような把持部材１９では、表装地１４や基布１０或いは透明シートの端縁２３を差込溝１８に押し込むと、舌片１５の先端に引っ掛かって端縁２３が外れず、把持部材１９と把持部材１９の間に表装地等を十分に緊張させて張り渡すことが出来る。
【図面の簡単な説明】
【００２３】
【図１】本発明に係る緞子張り内装材の一部切截斜視図であり、その一部を円で囲んで拡大して図示している。
【符号の説明】
【００２４】
１１・１３：施工下地
１４：表装地
１５：舌片
１６：角形畝
１７：基板
１８：差込溝
１９：把持部材
２０：パイル層
２１：外面パイル層
２２：内部パイル層
２３：端縁
【図１】
2005226227.tif 000003